(57)【要約】【課題】折り畳んだ状態でその表裏に現れた各区画を、正確な順番で順次使用することが可能であり、極めて使い勝手が良く、また、全体がバラバラになることなく、まとめて扱ったり濯ぎ洗いを行うことができ、さらに、拭き取り対象に応じて適宜最適な拭き取り面を確保することができるフキンを提供する。【解決手段】フキン１０の表裏面１０ａ，１０ｂに、それぞれ対辺同士を重ね合わせるように折り畳んだ状態で使用する際、該折り畳んだ状態で表裏を成す各区画１１ａ，１１ｂごとに、拭き取りに使用する順番を示唆する案内表示１２を記した。【選択図】図１
0003098483.tif 000002
【実用新案登録請求の範囲】
【請求項１】
１枚の布片より成り、その表裏面を拭き取りに使用するフキンにおいて、
前記布片の表裏面の少なくとも一方に、
対辺同士を重ね合わせるように折り畳んだ状態で使用する際、該折り畳んだ状態で表裏を成す各区画ごとに、拭き取りに使用する順番を示唆する案内表示を記したことを特徴とするフキン。
【請求項２】
１枚の布片より成り、その表裏面を拭き取りに使用するフキンにおいて、
前記布片の表裏面の両方に、
対辺同士を重ね合わせるように折り畳んだ状態で使用する際、該折り畳んだ状態で表裏を成す各区画ごとに、拭き取りに使用する順番を示唆する案内表示を記し、
前記布片の表裏面で、
前記折り畳む状態を互いに異なるように設定し、該折り畳む状態に対応して、前記布片の表裏面における前記各区画および前記案内表示の数も互いに異ならせたことを特徴とするフキン。
【請求項３】
２枚の布片を重ね合わせた状態で、その１辺を除いた３辺を止着した袋状布片より成り、その袋状の外側と内側を捲り返して両側を使用可能であり、外側にした表裏面を拭き取りに使用するフキンにおいて、
前記袋状布片の外側と内側のそれぞれの表裏面の少なくとも一方に、
対辺同士を重ね合わせるように折り畳んだ状態で使用する際、該折り畳んだ状態で表裏を成す各区画ごとに、拭き取りに使用する順番を示唆する案内表示を記したことを特徴とするフキン。
【請求項４】
２枚の布片を重ね合わせた状態で、その１辺を除いた３辺を止着した袋状布片より成り、その袋状の外側と内側を捲り返して両側を使用可能であり、外側にした表裏面を拭き取りに使用するフキンにおいて、
前記袋状布片の外側と内側のそれぞれの表裏面の両方に、
対辺同士を重ね合わせるように折り畳んだ状態で使用する際、該折り畳んだ状態で表裏を成す各区画ごとに、拭き取りに使用する順番を示唆する案内表示を記し、
前記袋状布片の外側と内側のそれぞれの表裏面で、
前記折り畳む状態を互いに異なるように設定し、該折り畳む状態に対応して、前記布片の表裏面における前記各区画および前記案内表示の数も互いに異ならせたことを特徴とするフキン。
【考案の詳細な説明】
【０００１】
【考案の属する技術分野】
本考案は、掃除や洗車等の際に使用するフキンであって、布片より成りその表裏面を拭き取りに使用するフキンに関する。
【０００２】
【従来の技術】
従来、この種のフキンとしては、一般に１枚の布片からなる雑巾やタオル等が用いられており、布片を適当な大きさまで折り畳んだ状態で、その表裏に現れた区画を順次拭き取りに使用し、区画が汚れるとまた別の区画が表裏に現れるように、雑巾等を折り畳み直して総ての区画が汚れるまで順次使用していた。
【０００３】
このようなフキンの使用では、前記各区画の汚れが余り目立たないような場合には、既に拭き取りに使用済みの区画であるか、未だ使用していない新たな区画であるのかが、見た目では明瞭に判別できないような場合も多く、折り畳み直しつつ雑巾等の表裏面の総ての区画をむらなく均一に使用することは極めて困難であるという欠点があった。
【０００４】
かかる欠点を解消し得るような従来技術として、例えば、特許文献１に開示されたようなワイパーが提案されている。このワイパーは、超極細繊維よりなる複数枚の布片を当該各布片の表裏全面が順次使用できるように相互に止着してなるものであった。
【０００５】
【特許文献１】
登録実用新案第３０００３６４号公報
【０００６】
【考案が解決しようとする課題】
しかしながら、前述したような従来の技術では、使用する布片の枚数が多くて嵩張り、拭き取り使用の際にバラバラになりやすく、重ね合わせた状態にまとめて使用することが面倒であり、また、一旦使用した後に簡単に手洗いして直ぐに再び使用するような場合には、個々の布片ごとに濯ぎ洗いをしなければならず、使い勝手が良くないという問題があった。
【０００７】
さらにまた、個々の布片の大きさはコンパクトに設けられており、メガネや手鏡、コップ等の小物を拭くには携帯性に優れて便利であったが、一度に大きい拭き取り面を確保することはできないため、窓の掃除や洗車に使用するには不便であり、適当な拭き取り面の確保する観点からも、使い勝手が良くないという問題があった。
【０００８】
本考案は、従来の技術が有する問題点に着目してなされたもので、折り畳んだ状態でその表裏に現れた各区画を、正確な順番で順次使用することが可能で、未使用区画を残したり同一区画を重複して使用することなく、全体をムラなく効率良く使用することができ、また、全体がバラバラになることなく、まとめて扱ったり濯ぎ洗いを行うことができ、さらに、拭き取り対象に応じて適宜最適な拭き取り面を確保することも可能なフキンを提供することを目的としている。
【０００９】
【課題を解決するための手段】
前述した目的を達成するための本考案の要旨とするところは、以下の各項に存する。
［１］１枚の布片より成り、その表裏面を拭き取りに使用するフキン（１０）において、
前記布片の表裏面の少なくとも一方に、
対辺同士を重ね合わせるように折り畳んだ状態で使用する際、該折り畳んだ状態で表裏を成す各区画（１１ａ，１１ｂ）ごとに、拭き取りに使用する順番を示唆する案内表示（１２）を記したことを特徴とするフキン（１０）。
【００１０】
［２］１枚の布片より成り、その表裏面を拭き取りに使用するフキン（１０）において、
前記布片の表裏面の両方に、
対辺同士を重ね合わせるように折り畳んだ状態で使用する際、該折り畳んだ状態で表裏を成す各区画（１１ａ，１１ｂ）ごとに、拭き取りに使用する順番を示唆する案内表示（１２）を記し、
前記布片の表裏面で、
前記折り畳む状態を互いに異なるように設定し、該折り畳む状態に対応して、前記布片の表裏面における前記各区画（１１ａ，１１ｂ）および前記案内表示（１２）の数も互いに異ならせたことを特徴とするフキン（１０）。
【００１１】
［３］２枚の布片を重ね合わせた状態で、その１辺を除いた３辺を止着した袋状布片より成り、その袋状の外側と内側を捲り返して両側を使用可能であり、外側にした表裏面を拭き取りに使用するフキン（１００）において、
前記袋状布片の外側と内側のそれぞれの表裏面の少なくとも一方に、
対辺同士を重ね合わせるように折り畳んだ状態で使用する際、該折り畳んだ状態で表裏を成す各区画（１１１ａ〜１１１ｄ）ごとに、拭き取りに使用する順番を示唆する案内表示（１１２）を記したことを特徴とするフキン（１００）。
【００１２】
［４］２枚の布片を重ね合わせた状態で、その１辺を除いた３辺を止着した袋状布片より成り、その袋状の外側と内側を捲り返して両側を使用可能であり、外側にした表裏面を拭き取りに使用するフキン（１００）において、
前記袋状布片の外側と内側のそれぞれの表裏面の両方に、
対辺同士を重ね合わせるように折り畳んだ状態で使用する際、該折り畳んだ状態で表裏を成す各区画（１１１ａ〜１１１ｄ）ごとに、拭き取りに使用する順番を示唆する案内表示（１１２）を記し、
前記袋状布片の外側と内側のそれぞれの表裏面で、
前記折り畳む状態を互いに異なるように設定し、該折り畳む状態に対応して、前記布片の表裏面における前記各区画（１１１ａ〜１１１ｄ）および前記案内表示（１１２）の数も互いに異ならせたことを特徴とするフキン（１００）。
【００１３】
前記本考案は次のように作用する。
前記［１］に記載のフキン（１０）によれば、その対辺同士を重ね合わせて適当な大きさまで折り畳んだ状態で、その表裏に現れた区画（１１ａ，１１ｂ）を順次拭き取りに使用し、使用に伴い区画（１１ａ，１１ｂ）が汚れるとまた別の区画（１１ａ，１１ｂ）が表裏に現れるように、折り畳み直して総ての区画（１１ａ，１１ｂ）が汚れるまで順次拭き取りに使用するが、各区画（１１ａ，１１ｂ）を使用するに際して、各区画（１１ａ，１１ｂ）ごとに使用する順番を示唆する案内表示（１２）により容易に確認することができる。
【００１４】
それにより、各区画（１１ａ，１１ｂ）の汚れが余り目立たないような場合であっても、既に拭き取りに使用済みの区画（１１ａ，１１ｂ）であるか、未だ使用していない新たな区画（１１ａ，１１ｂ）であるのかを、案内表示（１２）にしたがって随時確認することが可能となり、総ての区画（１１ａ，１１ｂ）を正確な順番で順次使用することが容易なため、未使用区画（１１ａ，１１ｂ）を残したり同一区画（１１ａ，１１ｂ）を重複して使用することなく、全体をムラなく効率良く使用することができる。また、全体がバラバラになることなく、まとめて扱ったり濯ぎ洗いを行うことができ、極めて使い勝手も良い。
【００１５】
また、前記［２］に記載のフキン（１０）によれば、前記［１］に記載のフキン（１０）の奏する作用に加えて、特に、布片の表裏面で折り畳む状態を互いに異なるように設定し、該折り畳む状態に対応して、布片の表裏面における各区画（１１ａ，１１ｂ）および案内表示（１２）の数も互いに異ならせたことにより、拭き取り対象の大きさに応じて、布片の表面の区画（１１ａ，１１ｂ）を使用したり、あるいは裏面の区画（１１ａ，１１ｂ）を使用するように使い分けることで、適宜最適な拭き取り面を確保することができる。
【００１６】
また、前記［３］に記載のフキン（１００）によれば、前記［１］に記載のフキン（１０）の奏する作用に加えて、特に袋状布片より成り、その袋状の外側と内側を捲り返して両側を使用可能であるため、全体構成が嵩張ったりバラバラになるような事態を招くことなく、１枚の布片より成る場合に比べて、２倍の拭き取り面積を確保することが可能となり、より広い面積の拭き取り対象にも十分に対応することが可能となる。
【００１７】
さらにまた、前記［４］に記載のフキン（１００）によれば、前記［３］に記載のフキン（１００）の奏する作用に加えて、前記［２］に記載のフキン（１０）の作用も加味されるため、さらに使い勝手を良くすることが可能となる。
【００１８】
【考案の実施の形態】
以下、図面に基づき本考案を代表する各種実施の形態を説明する。
図１は、本考案の第１実施の形態を示している。
図１（ａ）はフキン１０の表面１０ａを示し、図１（ｂ）はフキン１０の裏面１０ｂを示している。本実施の形態に係るフキン１０は、１枚の布片より成り、その表裏面１０ａ，１０ｂをそれぞれ拭き取りに使用するものである。
【００１９】
かかるフキン１０は、一般に広く普及している手拭き用タオルと同程度の寸法の矩形状のものであれば良いが、その表裏面１０ａ，１０ｂを連続して拭き取りに使用するには、ある程度の厚さを備えていることが好ましい。なお、布片の素材に関しても特に限定されるものではなく、パイル地、不織布、超極細繊維等と様々な素材を採用することができる。
【００２０】
図１（ａ）に示すように、フキン１０の表面１０ａには、フキン１０の対辺同士を重ね合わせるように交互に数回折り畳んだ状態で使用する際、該折り畳んだ状態で表裏を成す各区画１１ａごとに、拭き取りに使用する順番を示唆する案内表示１２が記されている。
【００２１】
詳しく言えば、フキン１０の表面１０ａには、短辺同士を交互に重ね合わせるように３回続けて折り畳むことを示す折り線１３が記されており、この折り線１３により囲まれた個々の箇所が１つの区画１１ａとなる。表面１０ａは、３回折り畳むことが意図されており、合計８つの区画１１ａに分けられている。この各区画１１ａごとに、拭き取りに使用する順番を示唆する案内表示１２として、「１」〜「８」までの数字が、刺繍、ジャカード織、捺染、あるいはプリント等により、洗濯等で落ちない態様で記されている。
【００２２】
一方、図１（ｂ）に示すように、フキン１０の裏面１０ｂには、短辺同士を交互に重ね合わせるように２回続けて折り畳むことを示す折り線１３が記されており、この折り線１３により囲まれた合計４つの区画１１ｂに分けられている。この各区画１１ｂごとに、拭き取りに使用する順番を示唆する案内表示１２として、「１」〜「４」までの数字が、前記表面１０ａと同様に刺繍、ジャカード織、捺染、あるいはプリント等により、洗濯等で落ちない態様で記されている。
【００２３】
次に、第１実施の形態の作用を説明する。
本実施の形態に係るフキン１０によれば、図１（ａ）において、表面１０ａを使用する場合、先ず裏面１０ｂが内側になるように短辺同士を重ね合わせて、長手方向における中央の折り線１３に沿って折り畳む。このとき、それぞれ４つの区画１１ａを含む表面１０ａの半分に相当する面積の領域が表裏を成す。
【００２４】
次に、前記半分の大きさに折り畳んだ状態のフキン１０を、４つの区画に案内表示１２として「５」〜「８」を含む領域が内側になるようにして、当該折り畳み状態での短辺同士を重ね合わせつつ、当該折り畳み状態での長手方向における中央の折り線１３に沿ってさらに折り畳む。このとき、それぞれ２つの区画１１ａを含む表面１０ａの４分の１に相当する面積の領域が表裏を成す。
【００２５】
続いて、前記２つ折りにした状態のフキン１０を、２つの区画に案内表示１２として「３」と「４」を含む領域が内側になるようにして、２つ折り状態での短辺同士をさらに重ね合わせて、２つ折り状態での長手方向における中央の折り線１３に沿ってさらに折り畳む。すると、それぞれ１つの区画１１ａから成る表面１０ａの８分の１に相当する面積の領域が表裏を成す。
【００２６】
このような３つ折りに折り畳んだ状態にて、「１」の案内表示１２が記された区画１１ａを先ず最初に拭き取りに使用し、この区画１１ａが汚れたら、そのまま裏返して「２」の案内表示１２が記された区画１１ａを拭き取りに使用する。そして、「２」の案内表示１２が記された区画１１ａも汚れたら、それ以降は順番に適宜折り返しつつ、「３」〜「８」の案内表示１２が記された区画１１ａの順番に従い、順次各区画１１ａを拭き取りに使用することができる。
【００２７】
さらに、フキン１０の表面１０ａの総ての区画１１ａを使用し終えたら、今度は図１（ｂ）において、使用済みの表面１０ａが今度は内側になるように短辺同士を重ね合わせて、長手方向における中央の折り線１３に沿って折り畳む。このとき、それぞれ２つの区画１１ｂを含む裏面１０ｂの半分に相当する面積の領域が表裏を成す。すなわち、裏面１０ｂにおける各区画１１ｂの大きさは、前記表面１０ａにおける各区画１１ａの２倍の大きさに設定されている。
【００２８】
続いて、前記半分の大きさに折り畳んだ状態のフキン１０を、２つの区画に案内表示１２として「３」と「４」を含む領域が内側になるようにして、当該折り畳み状態での短辺同士を重ね合わせつつ、当該折り畳み状態での長手方向における中央の折り線１３に沿ってさらに折り畳む。すると、それぞれ１つの区画１１ｂからなる裏面１０ｂの４分の１に相当する面積の領域が表裏を成す。
【００２９】
このような２つ折りに折り畳んだ状態にて、「１」の案内表示１２が記された区画１１ｂを先ず最初に拭き取りに使用し、この区画１１ｂが汚れたら、そのまま裏返して「２」の案内表示１２が記された区画１１ｂを拭き取りに使用する。そして、「２」の案内表示１２が記された区画１１ｂも汚れたら、それ以降は順番に適宜折り返しつつ、「３」と「４」の案内表示１２が記された区画１１ｂの順番に従い、順次各区画１１ｂを拭き取りに使用することができる。
【００３０】
以上のように、フキン１０の対辺同士を交互に重ね合わせて適当な大きさまで折り畳んだ状態で、その表裏に現れた区画１１ａ，１１ｂを順次拭き取りに使用し、使用に伴い区画１１ａ，１１ｂが汚れるとまた別の区画１１ａ，１１ｂが表裏に現れるように、折り畳み直して総ての区画１１ａ，１１ｂが汚れるまで順次拭き取りに使用するが、各区画１１ａ，１１ｂを使用するに際して、各区画１１ａ，１１ｂごとに使用する順番を示唆する案内表示１２によって容易に確認することができる。
【００３１】
それにより、各区画１１ａ，１１ｂの汚れが余り目立たないような場合であっても、既に拭き取りに使用済みの区画１１ａ，１１ｂであるか、未だ使用していない新たな区画１１ａ，１１ｂであるのかを、案内表示１２にしたがって随時確認することが可能となり、総ての区画１１ａ，１１ｂを正確な順番で順次使用することが容易になり、未使用区画を残したり同一区画を重複して使用することなく、全体をムラなく効率良く使用することができる。また、全体がバラバラになることなく、まとめて扱ったり濯ぎ洗いを行うことができ、極めて使い勝手も良い。
【００３２】
しかも、本実施の形態では、フキン１０の表裏面で折り畳む状態を互いに異なるように設定し、該折り畳む状態に対応して、布片の表裏面における各区画１１ａ，１１ｂおよび案内表示１２の数も互いに異ならせたことにより、拭き取り対象の大きさに応じて、フキン１０の表面１０ａの区画１１ａを使用したり、あるいは裏面１０ｂの区画１１ｂを使用するように使い分けることで、適宜最適な拭き取り面を確保することができる。
【００３３】
なお、本実施の形態では、フキン１０の表裏面１０ａ，１０ｂで、前述したように折り畳む状態を互いに異なるように設定したことにより、前記各区画１１ａ，１１ｂの数や大きさ、それに前記案内表示１２の数も互いに異ならせてあるが、例えば、表裏面１０ａ，１０ｂで全く同一の折り畳む状態を意図するものとし、それぞれ各区画１１ａ，１１ｂおよび案内表示１２を全く同一に設定しても良い。さらに、フキン１０の表裏面１０ａ，１０ｂとで、どちらか一方にのみ何れかの数や大きさの各区画１１ａ，１１ｂ、それに案内表示１２を設けるようにしても良い。
【００３４】
図２および図３は、本考案の第２実施の形態を示している。
本実施の形態に係るフキン１００は、２枚の布片１０１，１０２を重ね合わせた状態で、その１辺（長辺）を除いた３辺を止着した袋状布片より成り、その袋状の外側と内側を捲り返して使用可能であり、外側にした表裏面を拭き取りに使用するように構成している。
【００３５】
図２（ａ）はフキン１００の本来外側となる表面１００ａを示し、図２（ｂ）はフキン１００の本来外側となる裏面１００ｂを示している。また、図３（ａ）はフキン１００の本来内側となる方を外側になるよう捲り返した状態で、その表面１００ｃを示し、図３（ｂ）はフキン１００の本来内側となる方を外側になるよう捲り返した状態で、その裏面１００ｄを示している。なお、第１実施の形態と重複する説明を省略する。
【００３６】
図２（ａ）に示すように、フキン１００の本来外側となる表面１００ａには、短辺同士を交互に重ね合わせるように３回続けて折り畳むことを示す折り線１１３が記されており、この折り線１１３により囲まれた合計８つの区画１１１ａに分けられている。この各区画１１１ａごとに、拭き取りに使用する順番を示唆する案内表示１１２として、「１」〜「８」までの数字が記されている。
【００３７】
図２（ｂ）に示すように、フキン１００の本来外側となる裏面１００ｂには、短辺同士を交互に重ね合わせるように３回続けて折り畳むことを示す折り線１１３が記されており、この折り線１１３により囲まれた合計８つの区画１１１ｂに分けられている。この各区画１１１ｂごとに、拭き取りに使用する順番を示唆する案内表示１１２として、「９」〜「１６」までの数字が記されている。
【００３８】
図３（ａ）に示すように、フキン１００の本来内側となる方を外側になるよう捲り返した状態での表面１００ｃには、短辺同士を交互に重ね合わせるように３回続けて折り畳むことを示す折り線１１３が記されており、この折り線１１３により囲まれた合計８つの区画１１１ｃに分けられている。この各区画１１１ｃごとに、拭き取りに使用する順番を示唆する案内表示１１２として、「Ａ」〜「Ｈ」までのアルファベットが記されている。
【００３９】
図３（ｂ）に示すように、フキン１００の本来内側となる方を外側になるよう捲り返した状態での裏面１００ｄには、短辺同士を交互に重ね合わせるように２回続けて折り畳むことを示す折り線１１３が記されており、この折り線１１３により囲まれた合計４つの区画１１１ｄに分けられている。この各区画１１１ｄごとに、拭き取りに使用する順番を示唆する案内表示１１２として、「Ｉ」〜「Ｌ」までのアルファベットが記されている。
【００４０】
このような第２実施の形態に係るフキン１００によれば、袋状の外側と内側を捲り返して両方を使用することができるため、全体構成が嵩張ったりバラバラになるような事態を招くことなく、１枚の布片より成る場合に比べて、２倍の拭き取り面積を確保することが可能となり、より広い面積の拭き取り対象にも十分に対応することが可能となる。
【００４１】
なお、本実施の形態では、フキン１００の本来外側となる表裏面１００ａ，１００ｂでは、折り畳む状態を同一に設定したことにより、各区画１１１ａ，１１１ｂの数や大きさを同一としたが、フキン１００の本来内側となる方を外側になるよう捲り返した状態での表裏面１００ｃ，１００ｄの場合と同様に、折り畳む状態を互いに異なるように設定しても良い。また、フキン１００の本来内側となる方を外側になるよう捲り返した状態での表裏面１００ｃ，１００ｄでも、折り畳む状態を同一に設定しても良い。
【００４２】
以上、本考案の実施の形態を図面によって説明してきたが、具体的な構成は前述した実施の形態に限られるものではなく、本考案の要旨を逸脱しない範囲における変更や追加があっても本考案に含まれる。例えば、フキン１０やフキン１００の形状は矩形に限られるものではなく、ハンカチーフのように正方形としても良い。
【００４３】
もちろん、フキン１０やフキン１００において、折り畳む状態や各区画の数や大きさも図示した例に限定されるものではない。もちろん、案内表示も数字やアルファベットに限定されるものではなく、使用者が拭き取りに使用する順番を想起できる態様の文字や記号、図形であれば何でも良い。
【００４４】
【考案の効果】
本考案に係るフキンによれば、既に拭き取りに使用済みの区画であるか、未だ使用していない新たな区画であるのかを、案内表示にしたがって随時確認することが可能となり、総ての区画を正確な順番で順次使用することが容易なため、未使用区画を残したり同一区画を重複して使用することなく、全体をムラなく効率良く使用することができる。また、全体がバラバラになることなく、まとめて扱ったり濯ぎ洗いを行うことができ、極めて使い勝手も良い。
【００４５】
また、布片の表裏面で折り畳む状態を互いに異なるように設定し、該折り畳む状態に対応して、布片の表裏面における各区画および案内表示の数も互いに異ならせるようにすれば、拭き取り対象の大きさに応じて、布片の表面の区画を使用したり、あるいは裏面の区画を使用するように使い分けることで、適宜最適な拭き取り面を確保することができる。
【００４６】
さらにまた、袋状布片より成りその袋状の外側と内側を捲り返して使用可能とすれば、全体構成が嵩張ったりバラバラになるような事態を招くことなく、１枚の布片より成る場合に比べて、２倍の拭き取り面積を確保することが可能となり、より広いような拭き取り対象にも十分に対応することが可能となる。
【図面の簡単な説明】
【図１】本考案の第１実施の形態に係るフキンを示す（ａ）表面図および（ｂ）裏面図である。
【図２】本考案の第２実施の形態に係るフキンの本来外側となる方を示す（ａ）表面図および（ｂ）裏面図である。
【図３】本考案の第２実施の形態に係るフキンの本来内側となる方を示す（ａ）表面図および（ｂ）裏面図である。
【符号の説明】
１０…フキン
１０ａ…表面
１０ｂ…裏面
１１ａ…区画
１１ｂ…区画
１２…案内表示
１３…折り線
１００…フキン
１００ａ…表面
１００ｂ…裏面
１００ｃ…表面
１００ｄ…裏面
１１１ａ…区画
１１１ｂ…区画
１１１ｃ…区画
１１１ｄ…区画
１１２…案内表示
１１３…折り線
【図１】
0003098483.tif 000003
【図２】
0003098483.tif 000004
【図３】
0003098483.tif 000005